(57)【要約】【課題】表示画像の変更処理がユーザの視線に依らずユーザの位置に基づいて行われる場合に比べ、ユーザの操作性を低下させる、表示画像の変更処理を起きにくくする。【解決手段】画像形成装置は、画像を表示する画像表示部と、ユーザの視線の向く先が画像表示部であり、且つユーザと画像表示部との距離が予め定められた距離よりも短いか否かを判定するユーザ動作判定部６４と、ユーザの視線の向く先が画像表示部であり、且つユーザと画像表示部との距離が予め定められた距離よりも短いと判定された場合に、画像表示部に表示されている画像の変更処理を行う変更処理部６５とを備える。【選択図】図３
2018054747.tif 000002
【特許請求の範囲】
【請求項１】
画像を表示する画像表示部と、
ユーザの視線の向く先が前記画像表示部であり、且つ当該ユーザと当該画像表示部との距離が予め定められた距離よりも短い場合に、当該画像表示部に表示されている画像の変更処理を行う変更処理手段と
を備える画像表示装置。
【請求項２】
前記変更処理手段は、前記視線の向く先が前記画像表示部である状態が維持されながら、ユーザと当該画像表示部との距離が前記予め定められた距離よりも短くなった場合に、当該画像表示部に表示されている画像の変更処理を行うこと
を特徴とする請求項１に記載の画像表示装置。
【請求項３】
前記画像表示部の前にユーザが立った際の当該画像表示部と当該ユーザとの距離である当初距離を把握する把握手段をさらに備え、
前記変更処理手段は、ユーザの視線の向く先が前記画像表示部であり、且つ、前記当初距離に対する、当該ユーザと当該画像表示部との距離の割合が予め定められた閾値よりも小さくなった場合に、当該画像表示部に表示されている画像の変更処理を行うこと
を特徴とする請求項１に記載の画像表示装置。
【請求項４】
前記変更処理手段は、前記変更処理として、前記画像表示部に表示されている画像のうちの、前記視線の向く先に位置する部分の拡大処理を行うこと
を特徴とする請求項１乃至３の何れか１項に記載の画像表示装置。
【請求項５】
画像を表示する画像表示装置と、記録材への画像形成を行う画像形成手段とを備え、当該画像表示装置が請求項１乃至４の何れかに記載の画像表示装置により構成された画像形成装置。
【請求項６】
コンピュータに、
画像表示部に画像を表示させる機能と、
ユーザの視線の向く先が前記画像表示部であり、且つ当該ユーザと当該画像表示部との距離が予め定められた距離よりも短い場合に、当該画像表示部に表示されている画像の変更処理を行う機能と
を実現させるためのプログラム。
【発明の詳細な説明】
【技術分野】
【０００１】
本発明は、画像表示装置、画像形成装置、及びプログラムに関する。
【背景技術】
【０００２】
例えば、特許文献１には、表示画面と表示画面側にカメラを備える電子機器の画面表示制御方法であって、カメラで撮影される画像内の利用者の顔の特徴点の変化に応じて、表示画面への表示対象の表示範囲を制御する技術が開示されている。
【０００３】
また、例えば、特許文献２には、カメラがディスプレイ装置に表示されている表示データを見るユーザの顔を撮影し、表示変更装置がユーザの顔画像の目領域の画像データを解析し、ユーザが通常の目の状態であるのか、目を細めた状態であるのかを判断し、目を細めた状態である場合には、ユーザは表示データが見難いと判断し、表示データの表示レイアウトをより見やすい型式に変更し、より見やすい表示レイアウトに沿った表示データをディスプレイ装置に出力する技術が開示されている。
【先行技術文献】
【特許文献】
【０００４】
【特許文献１】特開２００９−０３１３６８号公報
【特許文献２】特開２００９−２９４７４０号公報
【発明の概要】
【発明が解決しようとする課題】
【０００５】
ユーザが参照する画像表示部では、ユーザが近付いたことを検知して、表示画像の一部を拡大するなどの表示画像の変更処理が行われる場合がある。ここで、ユーザが画像表示部を見ていないにも関わらず、ユーザが近付いたために表示画像の変更処理が行われてしまうと、例えば、ユーザが画像表示部を見ようとした際にすでに表示内容が変更されていたりして、ユーザの操作性が低下するおそれがある。
本発明の目的は、表示画像の変更処理がユーザの視線に依らずユーザの位置に基づいて行われる場合に比べ、ユーザの操作性を低下させる、表示画像の変更処理を起きにくくすることにある。
【課題を解決するための手段】
【０００６】
請求項１に記載の発明は、画像を表示する画像表示部と、ユーザの視線の向く先が前記画像表示部であり、且つ当該ユーザと当該画像表示部との距離が予め定められた距離よりも短い場合に、当該画像表示部に表示されている画像の変更処理を行う変更処理手段とを備える画像表示装置である。
請求項２に記載の発明は、前記変更処理手段は、前記視線の向く先が前記画像表示部である状態が維持されながら、ユーザと当該画像表示部との距離が前記予め定められた距離よりも短くなった場合に、当該画像表示部に表示されている画像の変更処理を行うことを特徴とする請求項１に記載の画像表示装置である。
請求項３に記載の発明は、前記画像表示部の前にユーザが立った際の当該画像表示部と当該ユーザとの距離である当初距離を把握する把握手段をさらに備え、前記変更処理手段は、ユーザの視線の向く先が前記画像表示部であり、且つ、前記当初距離に対する、当該ユーザと当該画像表示部との距離の割合が予め定められた閾値よりも小さくなった場合に、当該画像表示部に表示されている画像の変更処理を行うことを特徴とする請求項１に記載の画像表示装置である。
請求項４に記載の発明は、前記変更処理手段は、前記変更処理として、前記画像表示部に表示されている画像のうちの、前記視線の向く先に位置する部分の拡大処理を行うことを特徴とする請求項１乃至３の何れか１項に記載の画像表示装置である。
請求項５に記載の発明は、画像を表示する画像表示装置と、記録材への画像形成を行う画像形成手段とを備え、当該画像表示装置が請求項１乃至４の何れかに記載の画像表示装置により構成された画像形成装置である。
請求項６に記載の発明は、コンピュータに、画像表示部に画像を表示させる機能と、ユーザの視線の向く先が前記画像表示部であり、且つ当該ユーザと当該画像表示部との距離が予め定められた距離よりも短い場合に、当該画像表示部に表示されている画像の変更処理を行う機能とを実現させるためのプログラムである。
【発明の効果】
【０００７】
請求項１記載の発明によれば、表示画像の変更処理がユーザの視線に依らずユーザの位置に基づいて行われる場合に比べ、ユーザの操作性を低下させる、表示画像の変更処理を起きにくくすることができる。
請求項２記載の発明によれば、表示画像の変更処理がユーザの視線に依らずユーザの位置に基づいて行われる場合に比べ、より確実に、ユーザの操作性を低下させる、表示画像の変更処理を起きにくくすることができる。
請求項３記載の発明によれば、画像表示部の画像を見る際のユーザと画像表示部との距離がユーザ毎に異なる場合であっても、ユーザの操作性を低下させる、表示画像の変更処理を起きにくくすることができる。
請求項４記載の発明によれば、拡大処理が行われない場合に比べ、ユーザは、画像表示部に表示されている画像を見やすくなる。
請求項５記載の発明によれば、表示画像の変更処理がユーザの視線に依らずユーザの位置に基づいて行われる場合に比べ、ユーザの操作性を低下させる、表示画像の変更処理を起きにくくすることができる。
請求項６記載の発明によれば、表示画像の変更処理がユーザの視線に依らずユーザの位置に基づいて行われる場合に比べ、ユーザの操作性を低下させる、表示画像の変更処理を起きにくくする機能を、コンピュータにより実現できる。
【図面の簡単な説明】
【０００８】
【図１】本実施の形態に係る画像形成装置の構成例を示した図である。
【図２】画像形成装置をフロント側から眺めた場合の一例を示す図である。
【図３】制御部の機能構成の一例を示したブロック図である。
【図４】視線検知センサの構成の一例を説明するための図である。
【図５】（Ａ），（Ｂ）は、視線検知センサの構成の一例を説明するための図である。
【図６】本実施の形態に係る画像形成装置にて実行される処理の手順の一例を示したフローチャートである。
【図７】（Ａ）〜（Ｄ）は、本実施の形態に係る画像形成装置にて実行される処理の具体例を説明するための図である。
【発明を実施するための形態】
【０００９】
以下、添付図面を参照して、本発明の実施の形態について詳細に説明する。
＜画像形成装置の構成＞
まず、本実施の形態に係る画像形成装置１０の構成について説明する。図１は、本実施の形態に係る画像形成装置１０の構成例を示した図である。
図示するように、本実施の形態に係る画像形成装置１０を構成する各機能部は、バス１０１に接続され、このバス１０１を介してデータの授受を行う。
【００１０】
画像表示部の一例としての表示部１０６は、画像形成装置１０に関する各種画像を表示する。例えば、表示部１０６は、ユーザが画像形成装置１０を操作する際にユーザが選択する選択項目を複数表示する。
【００１１】
操作受け付け部１０７は、ユーザからの操作を受け付ける。より具体的には、操作受け付け部１０７は、表示部１０６にて表示されている表示内容に対するユーザの操作を受け付ける。例えば、複数の選択項目が表示部１０６に表示されている場合、操作受け付け部１０７は、ユーザによる選択項目の選択を受け付ける。
【００１２】
ここで、表示部１０６及び操作受け付け部１０７は、タッチパネル方式のディスプレイにより構成され、表示部１０６と操作受け付け部１０７とが重なった状態で配置されている。ただし、操作受け付け部１０７は、タッチパネル方式のディスプレイにより構成される場合に限られるものではなく、例えば、表示部１０６とは別に設けられた操作ボタンや、マウスなどのポインティングデバイスにより構成してもよい。
【００１３】
画像読み取り部１０８は、いわゆるスキャナ装置により構成され、セットされた原稿上の画像を読み取り、原稿の読み取り画像（画像データ）を生成する。
【００１４】
画像形成手段の一例としての画像形成部１０９は、例えば電子写真方式を用い、画像データに応じたトナー像を記録材の一例である用紙に形成する。なお、画像形成部１０９では、インクジェットヘッド方式などの他の方式を用いて画像形成を行ってもよい。
【００１５】
通信部１１０は、通信回線（不図示）に接続され、通信回線に接続されている他の装置との通信を行う通信インターフェースとして機能する。
【００１６】
画像処理部１１１は、画像データが表す画像に色補正や階調補正等の画像処理を施す。
【００１７】
人検知センサ１１２は、画像形成装置１０の周囲にユーザが存在するか否かを検知し、周囲に存在するユーザと画像形成装置１０との間の距離を検出する。言い換えると、人検知センサ１１２は、画像形成装置１０の周囲にいるユーザを検知し、画像形成装置１０とユーザとの間の距離を測定する測距センサとしての機能を有する。人検知センサ１１２としては、例えば、赤外線センサ、超音波センサ等を例示することができる。ここで、赤外線センサ、超音波センサは、例えば、センサ内部の光源から照射された光が測定対象物（本実施の形態では、ユーザ）にあたって反射され、センサの受光素子で受光する。この受光した光を評価して距離に換算することにより、画像形成装置１０とユーザとの間の距離を測定する。
【００１８】
図２は、画像形成装置１０をフロント側から眺めた場合の一例を示す図である。人検知センサ１１２は、例えば、図２に示すように、画像形成装置１０のフロント側（前面側）に設置される。付言すると、人検知センサ１１２は、画像形成装置１０の表示部１０６の付近（例えば、表示部１０６の横）、言い換えると、表示部１０６から予め定められた範囲内に設置される。そのため、人検知センサ１１２は、表示部１０６の周囲のユーザを検知し、表示部１０６とユーザとの間の距離を測定するものとして捉えることができる。
【００１９】
視線検知センサ１１３は、画像形成装置１０に対する操作を行うユーザの視線を検知する。この視線検知センサ１１３は、図２に示すように、画像形成装置１０のフロント側（前面側）に設置される。また、視線検知センサ１１３は、人検知センサ１１２と同様に、画像形成装置１０の表示部１０６の付近（例えば、表示部１０６の横）、言い換えると、表示部１０６から予め定められた範囲内に設置される。
なお、本実施の形態では、人検知センサ１１２と視線検知センサ１１３とを別のセンサとしてそれぞれを異なる場所に設置することとしたが、これらのセンサを１箇所にまとめて設置することとしても良い。
【００２０】
記憶部１０５は、ハードディスク装置などの記憶装置により構成され、例えば、通信部１１０にて受信したデータや、画像読み取り部１０８にて生成された読み取り画像（画像データ）を記憶する。
【００２１】
制御部６０は、画像形成装置１０の各部を制御する。制御部６０は、ＣＰＵ（Central Processing Unit）１０２、ＲＯＭ（Read Only Memory）１０３、ＲＡＭ（Random Access Memory）１０４により構成される。
ＲＯＭ１０３は、ＣＰＵ１０２により実行されるプログラムを記憶する。ＣＰＵ１０２は、ＲＯＭ１０３に記憶されているプログラムを読み出し、ＲＡＭ１０４を作業エリアにして、プログラムを実行する。ＣＰＵ１０２によりプログラムが実行されると、ＣＰＵ１０２により画像形成装置１０の各部が制御され、画像形成装置１０は、例えば用紙に画像を形成したり、原稿を読み取って原稿の読み取り画像を生成したりする。
【００２２】
＜制御部の機能構成＞
次に、制御部６０の機能構成について説明する。図３は、制御部６０の機能構成の一例を示したブロック図である。制御部６０は、ユーザ位置判定部６１、ユーザ位置情報取得部６２、視線検知部６３、ユーザ動作判定部６４、変更処理部６５を有する。
【００２３】
ユーザ位置判定部６１は、人検知センサ１１２による検知結果に基づき、ユーザが画像形成装置１０（表示部１０６）の付近、言い換えると、画像形成装置１０（表示部１０６）から予め定められた距離の範囲内に存在するか否かを判定する。以下では、この判定に用いられる予め定められた距離を、第１距離と称する場合がある。
【００２４】
ユーザ位置情報取得部６２は、ユーザ位置判定部６１により、ユーザが画像形成装置１０から第１距離の範囲内に存在すると判定された場合に、人検知センサ１１２から、ユーザ（例えば、ユーザの顔）と画像形成装置１０（表示部１０６）との間の距離の情報（以下、ユーザ位置情報と称する）を取得する。
【００２５】
視線検知部６３は、ユーザ位置判定部６１により、ユーザが画像形成装置１０から第１距離の範囲内に存在すると判定された場合に、視線検知センサ１１３から、ユーザの視線が向けられている向きの情報（以下、ユーザ視線情報と称する）を取得する。
【００２６】
ユーザ動作判定部６４は、ユーザ位置情報取得部６２により取得されるユーザ位置情報と、視線検知部６３により取得されるユーザ視線情報とを基に、ユーザの動作に対する判定を行う。より具体的には、ユーザ動作判定部６４は、ユーザの動作に対する判定として、ユーザの視線の向く先が表示部１０６である状態が維持されながら、ユーザと画像形成装置１０（表示部１０６）との間の距離が予め定められた距離よりも短くなったか否かを判定する。この判定に用いられる予め定められた距離は、第１距離よりも短い距離である。以下では、この予め定められた距離を、第２距離と称する場合がある。
なお、この第２距離については、どのユーザに対しても固定の値としても良いし、例えばユーザの身長などに合わせて変化させても良い。
【００２７】
変更処理手段の一例としての変更処理部６５は、ユーザ動作判定部６４により、ユーザの視線の向く先が表示部１０６である状態が維持されながら、ユーザと画像形成装置１０（表示部１０６）との間の距離が第２距離よりも短くなったと判定された場合、表示部１０６に表示されている画像の変更処理を行う。変更処理としては、例えば、表示部１０６に表示されている画像のうち、ユーザの視線の向く先に位置する部分（即ち、ユーザが見ている部分）を拡大する処理を例示することができる。言い換えると、ユーザの視線の向く先に位置する一定範囲内の領域を拡大する処理を例示することができる。なお、変更処理は、拡大処理に限られるものではなく、例えば、画面に対するスクロール処理や、画面の全体を他の画面に切り替える処理なども挙げられる。
【００２８】
また、変更処理部６５は、ユーザと画像形成装置１０（表示部１０６）との間の距離が第２距離以上になった場合には、表示部１０６に表示されている画像を変更処理前の状態に戻す。例えば、ユーザの視線の向く先に位置する部分が拡大されていた場合には、拡大前の状態に戻される。
【００２９】
なお、図３に示す制御部６０を構成する各機能部は、ソフトウェアとハードウェア資源とが協働することにより実現される。具体的には、画像形成装置１０を図１に示したハードウェア構成にて実現した場合、ＲＯＭ１０３に記憶されているＯＳのプログラムやアプリケーション・プログラムが、ＲＡＭ１０４に読み込まれてＣＰＵ１０２に実行されることにより、ユーザ位置判定部６１、ユーザ位置情報取得部６２、視線検知部６３、ユーザ動作判定部６４、変更処理部６５等の各機能が実現される。
【００３０】
＜視線検知センサの構成＞
次に、視線検知センサ１１３の構成について説明する。図４及び図５（Ａ），（Ｂ）は、視線検知センサ１１３の構成の一例を説明するための図である。
【００３１】
図４に示すように、視線検知センサ１１３は、ユーザの眼球５６に赤外光をスポット状に照射する光源５３を有し、眼球５６からの赤外反射光は接眼レンズ５１に設けられた微小開口絞りを経て光学レンズ群５４に入射する。光学レンズ群５４は入射した赤外反射光をＣＣＤ５５の撮像面上に点状に結像させ、ＣＣＤ５５は撮像面に結像した角膜反射による虚像（プルキニエ像）を電気信号に変換して出力する。
この虚像は、図５（Ａ）、（Ｂ）に示すように、光源５３から照射された赤外光の瞳孔７１の角膜反射による虚像７２であり、瞳孔７１の中心と虚像７２との相対的位置関係は、眼球の回転角に比例して変化する。本実施の形態では、ＣＣＤ５５からの虚像を示す電気信号を用いて画像処理が行われ、この画像処理の結果に基づきユーザの視線の方向が検知される。
【００３２】
なお、ユーザの視線の方向の検知は、図４、図５にて示した方法に限らず、他の公知の方法で行ってもよく、図４、図５にて示した方法に限られるものではない。
また、視線検知センサ１１３としては、例えば、トビー・テクノロジー社製のアイトラッカー等を用いれば良い。
【００３３】
＜画像形成装置にて実行される処理の手順＞
次に、本実施の形態に係る画像形成装置１０にて実行される処理の手順について説明する。図６は、本実施の形態に係る画像形成装置１０にて実行される処理の手順の一例を示したフローチャートである。画像形成装置１０は、図６に示すフローチャートの処理を、例えば１００ｍ秒毎などの一定時間毎に繰り返し実行する。
【００３４】
まず、ユーザ位置判定部６１は、人検知センサ１１２による検知結果に基づき、ユーザが画像形成装置１０から第１距離の範囲内に存在するか否かを判定する（ステップ１０１）。ステップ１０１で否定の判断（Ｎｏ）がされた場合、本処理フローは終了する。一方、ステップ１０１で肯定の判断（Ｙｅｓ）がされた場合、次に、ユーザ動作判定部６４は、ユーザ位置情報取得部６２にて取得されるユーザ位置情報、及び、視線検知部６３にて取得されるユーザ視線情報を基に、ユーザの視線の向く先が表示部１０６である状態が維持されながら、ユーザと表示部１０６との間の距離が第２距離よりも短くなったか否かを判定する（ステップ１０２）。
【００３５】
ステップ１０２で肯定の判断（Ｙｅｓ）がされた場合、変更処理部６５は、表示部１０６にて表示されている画像の変更処理を行う（ステップ１０３）。ここで、変更処理部６５は、例えば、ユーザの視線の向く先に位置する部分を拡大する処理を行う。
次に、ユーザ動作判定部６４は、ユーザと表示部１０６との間の距離が第２距離以上になったか否かを判定する（ステップ１０４）。
【００３６】
ステップ１０４で否定の判断（Ｎｏ）がされた場合、ユーザ動作判定部６４は、繰り返し、ステップ１０４の判定を行う。一方、ステップ１０４で肯定の判断（Ｙｅｓ）がされた場合、変更処理部６５は、表示部１０６にて表示されている画像を変更処理前の状態に戻す（ステップ１０５）。ここで、変更処理部６５は、例えば、ステップ１０３において、ユーザの視線の向く先に位置する部分を拡大する処理を行った場合には、拡大前の状態に戻す。そして、本処理フローは終了する。
【００３７】
また、ステップ１０２で否定の判断（Ｎｏ）がされた場合、言い換えると、ユーザの視線の向く先が表示部１０６でないと判断されたり、ユーザと表示部１０６との間の距離が第２距離以上であると判断されたりした場合（ステップ１０２でＮｏ）、ステップ１０１へ移行する。付言すると、ステップ１０２では、ユーザと表示部１０６との間の距離が第２距離よりも短くても、ユーザの視線の向く先が表示部１０６以外に向いている場合には、否定の判断（Ｎｏ）がされる。なお、画像の変更処理の途中に、ユーザの視線の向く先が表示部１０６でないと判断されたり、ユーザと表示部１０６との間の距離が第２距離以上であると判断されたりした場合、変更処理部６５は、画像の変更処理を中止（中断）しても良い。
【００３８】
そして、ステップ１０２において否定の判断（Ｎｏ）がされ、ステップ１０１へ移行した後、ユーザ位置判定部６１により、ユーザが画像形成装置１０から第１距離の範囲内に存在すると判定されれば（ステップ１０１でＹｅｓ）、ユーザ動作判定部６４は、再度ステップ１０２の判定処理を行う。一方、ユーザ位置判定部６１により、ユーザが画像形成装置１０から第１距離の範囲内に存在しないと判定されれば（ステップ１０１でＮｏ）、ユーザが画像形成装置１０の付近から離れたこととなり、本処理フローは終了する。
【００３９】
ここで、ユーザは、表示部１０６の画像を見ようとして顔を表示部１０６に近づける場合、例えば、表示部１０６から視線を外すことなく顔を表示部１０６に近づける場合もあれば、表示部１０６の付近を見たりして表示部１０６から一時的に視線を外すような場合もあると考えられる。また、ユーザは、例えば、表示部１０６を見ずに顔を表示部１０６に近づけた後、表示部１０６を見るために表示部１０６に視線を向けることも考えられる。
そこで、ステップ１０２において、ユーザ動作判定部６４は、表示部１０６から視線が外れていたとしても、一定の条件が満たされた場合には、肯定の判断（Ｙｅｓ）を行うこととしても良い。
【００４０】
例えば、ユーザ動作判定部６４は、ユーザの視線の向く先が表示部１０６である時間と、ユーザの視線の向く先が表示部１０６でない時間とをそれぞれ計測する。そして、計測した時間を基に、ユーザの視線の向く先が表示部１０６である状態が維持されているか否かを判定しても良い。例えば、ユーザの視線の向く先が表示部１０６でない時間に対して、ユーザの視線の向く先が表示部１０６である時間の割合が予め定められた閾値以上であれば、表示部１０６から一時的に視線が外されたとしても、ユーザの視線の向く先が表示部１０６である状態が維持されていると判定しても良い。
【００４１】
また、例えば、ユーザ動作判定部６４は、ユーザが表示部１０６へ近づく過程でのユーザの視線を考慮することなく、ユーザの視線の向く先が表示部１０６であり、且つユーザと表示部１０６との間の距離が第２距離よりも短いか否かを判定することとしても良い。そして、ユーザ動作判定部６４は、ユーザの視線の向く先が表示部１０６であり、且つユーザと表示部１０６との間の距離が第２距離よりも短ければ、ステップ１０２において肯定の判断（Ｙｅｓ）を行うこととしても良い。言い換えると、ユーザ動作判定部６４は、ユーザの視線の向く先が表示部１０６であり、且つユーザと表示部１０６との間の距離が第２距離よりも短い状態が、一定時間継続されれば、肯定の判断（Ｙｅｓ）を行うこととしても良い。このような判定を行うことにより、ユーザがどのように表示部１０６に近づくかに関係なく、ユーザの視線の向く先、及び、ユーザと表示部１０６との間の距離により、画像の変更処理を行うか否かが決定されることとなる。
【００４２】
＜画像形成装置にて実行される処理の例＞
次に、本実施の形態に係る画像形成装置１０にて実行される処理について、具体例を挙げて説明する。図７（Ａ）〜（Ｄ）は、本実施の形態に係る画像形成装置１０にて実行される処理の具体例を説明するための図である。ここで、変更処理部６５は、変更処理として、ユーザの視線の向く先に位置する部分を拡大する処理を行うものとして説明する。また、以下に示すステップは、図６の各ステップに対応するものとする。
【００４３】
まず、ユーザＡが、画像形成装置１０の付近に近づいてきたものとする。ここで、人検知センサ１１２は、図７（Ａ）に示すように、画像形成装置１０の周囲にユーザが存在するか否かを検知する。そして、ユーザ位置判定部６１は、人検知センサ１１２による検知結果に基づき、ユーザが画像形成装置１０から第１距離の範囲内に存在するか否かを判定する（ステップ１０１）。
【００４４】
ユーザＡが画像形成装置１０から第１距離の範囲内に近づいた場合、人検知センサ１１２は、図７（Ｂ）に示すように、画像形成装置１０とユーザＡとの間の距離を測定する。また、視線検知センサ１１３は、ユーザＡの視線を検知する。そして、ユーザ動作判定部６４は、ユーザＡの視線の向く先が表示部１０６である状態が維持されながら、ユーザＡと表示部１０６との間の距離が第２距離よりも短くなったか否かを判定する（ステップ１０２）。
【００４５】
ユーザＡの視線の向く先が表示部１０６である状態が維持されながら、ユーザＡと表示部１０６との間の距離が第２距離よりも短くなった場合（ステップ１０２でＹｅｓ）、変更処理部６５は、ユーザＡの視線の向く先に位置する部分を拡大する処理を行う（ステップ１０３）。図７（Ｃ）に示す例では、ユーザＡの視線の向く先に位置する部分は、視線検知センサ１１３により、領域８１で示される部分と検知される。この場合、変更処理部６５は、図７（Ｄ）に示すように、領域８１の画像を拡大して表示部１０６に表示する。このようにして、ユーザＡの視線の向く先に位置する部分が拡大されることにより、ユーザＡの着目している部分が拡大されるようになり、ユーザＡにとって表示部１０６の表示がより見やすい状態となる。
【００４６】
＜ユーザ動作判定部による判定処理の他の例＞
次に、ユーザ動作判定部６４による判定処理の他の例について説明する。上述した例では、ユーザ動作判定部６４は、ユーザと表示部１０６との間の距離が第２距離よりも短くなったか否かを判定することとしたが、このような構成に限られるものではない。例えば、ユーザ動作判定部６４は、ユーザと表示部１０６との間の現時点の距離と、ユーザが画像形成装置１０の前（表示部１０６の前）に立ち止まった当初の距離（以下、当初距離と称する）との割合を計算して、判定処理を行うこととしても良い。この場合、ユーザ動作判定部６４は、把握手段の一例として捉えることができる。
【００４７】
より具体的には、ユーザ動作判定部６４は、ユーザが表示部１０６の前に立ち止まった際、言い換えると、ユーザが表示部１０６から第１距離の範囲内に一定時間存在する場合、ユーザと表示部１０６との間の距離の情報を、ユーザ位置情報取得部６２から取得する。そして、取得した距離の情報を、当初距離として、例えばＲＡＭ１０４に一時的に記憶させて保持しておく。その後、ユーザ動作判定部６４は、例えば１００ｍ秒毎などの一定時間毎に、ユーザと表示部１０６との間の現時点の距離の情報を、ユーザ位置情報取得部６２から取得する。そして、当初距離に対する現時点の距離の割合（＝現時点の距離／当初距離）を計算する。
【００４８】
そして、ユーザ動作判定部６４は、ユーザの視線の向く先が表示部１０６である状態が維持されながら、計算した割合が予め定められた閾値（予め定められた割合）よりも小さくなったか否かを判定する。この判定において肯定の判断（Ｙｅｓ）がされた場合には、図６のステップ１０２で肯定の判断がされた場合と同様に、変更処理部６５により画像の変更処理が行われる。また、その後、計算した割合が閾値以上になった場合には、図６のステップ１０４で肯定の判断がされた場合と同様に、変更処理部６５により画像が変更処理前の状態に戻される。
【００４９】
なお、本例の判定処理においても、上述した図６のステップ１０２と同様に、ユーザ動作判定部６４は、表示部１０６から視線が外れていたとしても、一定の条件が満たされた場合には、肯定の判断（Ｙｅｓ）を行うこととしても良い。
より具体的には、例えば、ユーザ動作判定部６４は、ユーザの視線の向く先が表示部１０６である時間と、ユーザの視線の向く先が表示部１０６でない時間とをそれぞれ計測して、計測した時間を基に、ユーザの視線の向く先が表示部１０６である状態が維持されているか否かを判定しても良い。
また、例えば、ユーザ動作判定部６４は、ユーザの視線の向く先が表示部１０６であり、且つユーザと表示部１０６との間の現時点の距離と当初距離との割合が予め定められた閾値より小さければ、肯定の判断（Ｙｅｓ）を行うこととしても良い。言い換えると、ユーザ動作判定部６４は、ユーザの視線の向く先が表示部１０６であり、且つユーザと表示部１０６との間の現時点の距離と当初距離との割合が予め定められた閾値より小さい状態が、一定時間継続されれば、肯定の判断（Ｙｅｓ）を行うこととしても良い。
【００５０】
以上説明したように、本実施の形態に係る画像形成装置１０の制御部６０は、ユーザの視線の向く先、及び、ユーザと画像形成装置１０（表示部１０６）との間の距離により、画像の変更処理を行うか否かを決定する。そのため、例えば、画像形成装置１０の下部に設けられた給紙手段（用紙トレイ）を開閉するためにユーザが姿勢を低くした場合などのように、ユーザが表示部１０６を見ていない（見る意思がない）のにユーザが表示部１０６に近づいた場合には、その後にユーザの視線が表示部１０６に向かない限り、画像の変更処理は行われない。
【００５１】
ここで、ユーザが表示部１０６を見ていない場合に画像の変更処理が行われると、例えば、その後にユーザが表示部１０６を見ようとした際に、すでに表示内容が変更されており、ユーザの選択したい選択項目以外の項目が拡大されていたり、ユーザの選択したい選択項目が表示されなくなっていたりすることが考えられる。よって、本実施の形態に係る制御部６０の処理により、例えば、ユーザが表示部１０６を見ていない場合でも、ユーザが近づけば画像の変更処理が行われる場合と比較して、ユーザの位置及び視線に応じた画像の変更処理が行われるようになり、ユーザの操作性が低下することが抑制される。
【００５２】
また、本実施の形態において、第２距離を１つの値として説明したが、第２距離を段階的に設けることとしても良い。言い換えると、第２距離として、異なる複数の距離を設けても良い。第２距離を段階的に設けた場合には、ユーザと表示部１０６との間の距離に応じて、画像の変更処理が段階的に行われるようになる。即ち、ユーザと表示部１０６との間の距離に応じて、例えば、画像が段階的に拡大表示されたり、画面全体が他の画面に切り替わる処理が連続的に行われたりするようになる。
【００５３】
また、本実施の形態において、制御部６０及び表示部１０６等は、画像の表示に関連する機能部であり、これらは、画像表示装置を構成する機能部として捉えることができる。
【００５４】
なお、本発明の実施の形態を実現するプログラムは、通信手段により提供することはもちろん、ＣＤ−ＲＯＭ等の記録媒体に格納して提供することも可能である。
【００５５】
以上、本発明の実施の形態について説明したが、本発明の技術的範囲は上記実施の形態に記載の範囲には限定されない。上記実施の形態に、種々の変更又は改良を加えたものも、本発明の技術的範囲に含まれることは、特許請求の範囲の記載から明らかである。
【符号の説明】
【００５６】
１０…画像形成装置、６０…制御部、６１…ユーザ位置判定部、６２…ユーザ位置情報取得部、６３…視線検知部、６４…ユーザ動作判定部、６５…変更処理部、１０６…表示部、１０９…画像形成部、１１２…人検知センサ、１１３…視線検知センサ
【図１】
2018054747.tif 000003
【図２】
2018054747.tif 000004
【図３】
2018054747.tif 000005
【図４】
2018054747.tif 000006
【図５】
2018054747.tif 000007
【図６】
2018054747.tif 000008
【図７】
2018054747.tif 000009